(57)【特許請求の範囲】
【請求項１】
ベッドフレームと、
このベッドフレームの側部に設けられた差込孔を有する保持部材と、
一対の脚部及び脚部の中途部に係止部材が設けられ、上記脚部の下端部を上記差込孔に挿入して上記ベッドフレームの側部に着脱可能に設けられた側柵と、
第１の取付け部と第２の取付け部とが設けられ上記第１の取付け部を上記係止部材に係合させて設けられた連結部材と、
中間部及びこの中間部の両端部に設けられ下端に係合部が形成された一対の側辺部とが弾性を備えた線材によって一体形成され上記中間部を上記連結部材の第２の取付け部に係合させるとともに上記一対の側辺部を弾性変形させてその下端の係合部を上記保持部材の下面に係合させることで上記側柵の脚部が上記保持部材の差込孔から抜出するのを阻止する抜け止め具と
を具備したことを特徴とするベッド装置。
【請求項２】
上記保持部材の差込孔に挿入された上記側柵の脚部の下端部は上記保持部材の下面側に突出し、
上記抜け止め具の係合部は上記保持部材の下面で上記差込孔から突出した上記脚部の下端部に係合していることを特徴とする請求項１記載のベッド装置。
【請求項３】
上記抜け止め具の係合部は線材を環状に曲成して形成されていることを特徴とする請求項１又は請求項２記載のベッド装置。
【請求項４】
上記連結部材は上記抜け止め具の中間部の全長にわたる長さを有することを特徴とする請求項１乃至３のいずれかに記載のベッド装置。
【発明の詳細な説明】
【０００１】
【発明の属する技術分野】
この発明はベッドフレームの側部に側柵が着脱可能に設けられるベッド装置に関する。
【０００２】
【従来の技術】
一般に、ベッド装置はベッドフレームを有し、このベッドフレームには床板体が設けられ、この床板体上にマットレスが載置される。そして、このマットレス上に利用者が仰臥するようになっている。
【０００３】
ベッド装置が病院用などの場合には、上記ベッドフレームの側部に、その側部の所定の範囲の部分に側柵を着脱可能に設けるようにしている。この側柵は、利用者がマットレス上で上半身を起こしたり、立ち上がるときに捉まったり、あるいは利用者に掛けた寝具がずれ落ちるのを防止するなどの種々の用途に利用される。
【０００４】
一方、利用者がマットレス上から降りたり、医師の診察や介護者の看護を受ける場合などには上記側柵が邪魔になるから、そのような場合にはベッドフレームから取り外すようにしている。
【０００５】
【発明が解決しようとする課題】
従来、上記側柵をベッドフレームの側部に着脱可能に設けるためには、側柵に一対の脚部を設ける一方、ベッドフレームの側部には保持部材を設け、この保持部材に上記脚部の下端部が挿入される差込孔を形成する。そして、側柵は、上記差込孔に脚部を挿入することで、ベッドフレームの側部に着脱可能に設けるようにしている。
【０００６】
しかしながら、側柵の脚部を保持部材の差込孔に単に挿入して側柵を着脱可能に設けるようにしただけでは、この側柵に不用意な力が加わると、脚部の下端部が差込孔から抜けて側柵が外れてしまうという虞があった。
【０００７】
この発明は側柵をベッドフレームの側部に設けた場合、その側柵の脚部を保持部材の差込孔に挿入するだけでなく、挿入された脚部が差込孔から抜け出るのを防止できるようにしたベッド装置を提供することにある。
【０００８】
【課題を解決するための手段】
請求項１の発明は、ベッドフレームと、
このベッドフレームの側部に設けられた差込孔を有する保持部材と、
一対の脚部及び脚部の中途部に係止部材が設けられ、上記脚部の下端部を上記差込孔に挿入して上記ベッドフレームの側部に着脱可能に設けられた側柵と、
第１の取付け部と第２の取付け部とが設けられ上記第１の取付け部を上記係止部材に係合させて設けられた連結部材と、
中間部及びこの中間部の両端部に設けられ下端に係合部が形成された一対の側辺部とが弾性を備えた線材によって一体形成され上記中間部を上記連結部材の第２の取付け部に係合させるとともに上記一対の側辺部を弾性変形させてその下端の係合部を上記保持部材の下面に係合させることで上記側柵の脚部が上記保持部材の差込孔から抜出するのを阻止する抜け止め具と
を具備したことを特徴とするベッド装置にある。
【０００９】
請求項２の発明は、上記保持部材の差込孔に挿入された上記側柵の脚部の下端部は上記保持部材の下面側に突出し、
上記抜け止め具の係合部は上記保持部材の下面で上記差込孔から突出した上記脚部の下端部に係合していることを特徴とする請求項１記載のベッド装置にある。
【００１０】
請求項３の発明は、上記抜け止め具の係合部は線材を環状に曲成して形成されていることを特徴とする請求項１又は請求項２記載のベッド装置にある。
【００１１】
請求項４の発明は、上記連結部材は上記抜け止め具の中間部の全長にわたる長さを有することを特徴とする請求項１乃至３のいずれかに記載のベッド装置にある。
【００１２】
この発明によれば、側柵の脚部を保持部材の差込孔に挿入して側柵をベッドフレームに設けたときに、この側柵の係止部材に連結部材を介して連結された抜け止め具の係合部を保持部材の下面に係合させることで、側柵を抜け止め部材によって保持部材に保持できるから、側柵の脚部が差込孔から抜け出るのを防止できる。
【００１３】
【発明の実施の形態】
以下、この発明の一実施の形態を図面を参照して説明する。
【００１４】
図１はベッド装置の側面図で、このベッド装置はベースフレーム１を備えている。このベースフレーム１は矩形枠状に形成されていて、その四隅部の下面にはそれぞれストッパ付きのキャスタ２（２つのみ図示）が設けられている。
【００１５】
上記ベースフレーム１の四隅部には取付け部材３（２つのみ図示）が立設されている。各取付け部材３の上端部には上下用アーム４の一端が回動可能に連結されている。ベースフレーム１の長手方向一端側に設けられた一対の上下用アーム４の他端は、矩形枠状のベッドフレーム５の一端部下面に設けられた一対の第１の取付け部６ａに回動可能に連結され、他端側に設けられた一対の上下用アーム４の他端は、上記ベッドフレーム５の他端部下面に設けられた第２の取付け部６ｂに回動可能に連結されている。
【００１６】
上記各上下用アーム４は、上下駆動機構１０によって矢印方向に回動駆動されるようになっている。それによって、上記ベッドフレーム５はベースフレーム１上で上昇方向に駆動されるようになっている。
【００１７】
上記ベッドフレーム５の長手方向一端にはヘッドボード枠７が設けられ、他端にはフットボード枠８が設けられている。上記ベッドフレーム５上には床板体１１が設けられている。この床板体１１は第１乃至第４の床部１２ａ〜１２ｄに分割されている。各床部１２ａ〜１２ｄは互いに回動可能に連結されているとともに、ヘッドボード枠７側から３番面の第３の床部１２ｃはベッドフレーム５に固定されている。
【００１８】
上記ベッドフレーム５の下面には背上げ機構１３が設けられている。この背上げ機構１３は回動駆動される駆動される背上げアーム（図示せず）を有する。そして、上記第１、第２の床部１２ａ，１２ｂは上記背上げ機構１３の背上げアームによって起伏駆動されるようになっている。
【００１９】
上記床板体１１の上面には図１に図示しないマットレスが載置され、このマットレス上に利用者が仰臥するようになっている。
【００２０】
上記ベッドフレーム５の両側部（一側のみ図示）には長手方向に等間隔で複数の保持部材１５が設けられている。図３に示すように、各保持部材１５には厚さ方向に貫通した差込孔１６が穿設されている。そして、ベッドフレーム５の側部には一対の保持部材１５の差込孔１６に一対の脚部１７の下端部を挿入して側柵１８が着脱可能に取付けられる。
【００２１】
上記側柵１８は、図２に示すように上辺が利用者が把持したり、手をかけるための手掛け部１９に形成された枠状部材２１を有し、この枠状部材２１には一対の上記脚部１７が上記保持部材１５と同じ間隔で、しかも下端部を枠状部材２１の下辺から下方へ突出させて設けられている。
【００２２】
図３に示すように、一対の脚部１７の下端部を除く部分の外形寸法は、上記保持部材１５の差込孔１６の内径寸法よりも大きく設定され、この脚部１７の下端部は、その外形寸法が上記差込孔１６の内径寸法よりもわずかに小さな差込部１７ａに形成されている。この差込部１７ａの長さ寸法は、差込部１７ａを差込孔１６に挿入したときに、下端が上記差込孔１６からわずかに突出するよう設定されている。
【００２３】
一対の脚部１７の上記枠状部２１から突出した中途部には杆状の係止部材２２が架設されている。この係止部材２２には側柵１８が保持部材１５から抜け落ちるのを防止する抜け止め具２３が連結部材３１を介して設けられる。
【００２４】
上記抜け止め具２３は、図４（ａ）に示すように、弾性を有する所定の太さの線材、たとえば鋼線によって中間部２４と、この中間部２４の両端部にほぼ９０度に折曲形成された一対の側辺部２５を有する。各側辺部２５の末端には線材を環状に曲成した係合部２６が外方に向かって形成されている。上記中間部２４は側柵１８の一対の脚部１７の間隔とほぼ同じ長さ寸法に設定されている。
【００２５】
図２にＬで示すように、一対の係合部２６の外方端間の寸法と、一対の保持部材１５の外側の側面間の寸法とはほぼ同じに設定されている。
【００２６】
上記連結部材３１は合成樹脂によって図３及び図４（ｂ）に示すように断面形状がＣ字状の中空に形成され、この中空部内には高さ方向一端部に第１の取付け溝３２が形成され、他端部に第２の取付け溝３３が形成されている。この連結部材３１の長さ寸法は上記抜け止め具２３の中間部２４とほぼ同じ長さに設定されている。各取付け溝３２，３３の断面形状は上記係止部材２２と抜け止め具２３との線材の外形寸法とほぼ同じ或いはわずかに小さな円弧状に形成されている。
【００２７】
側柵１８を抜け止め具２３によって保持部材１５、つまりベッドフレーム５から抜け落ちることがないよう保持するには、上記側柵１８の係止部材２２に連結部材３１の第１の取付け溝３２を係合させる。この状態で、連結部材３１は係止部材２２に対して回動可能に取付けられる。
【００２８】
つぎに、上記連結部材３１の第２の取付け溝３３に抜け止め具２３の中間部２４を係合させる。この抜け止め具２３も上記連結部材３１に対して回動可能に取付けられる。
【００２９】
このように、側柵１８に連結部材３１を介して抜け止め具２３を取付けたならば、側柵１８の脚部１７の下端部に形成された差込部１７ａを保持部材１５の差込孔１６に挿入する。このとき、抜け止め具２３は係合部２６が保持部材１５の先端に当たった状態にある。
【００３０】
つぎに、抜け止め具２３の一対の側辺部２５を図２に鎖線で示すように幅方向内方へ弾性的変形させ、その状態で抜け止め具２３を図３に矢印で示すように保持部材１５の方向へ回動させる。側辺部２２の下端に形成された係合部２６が保持部材１５の下端面から突出した脚部１７の差込部１７ａよりも内方に進入したならば、上記一対の側辺部２５の弾性変形を解除する。
【００３１】
それによって、側辺部２２の下端の係合部２６は保持部材１５の下面に係合し、その下面から突出した差込部１７ａによって抜け止め具２３が前方に回動して上記係合部２６が保持部材１５の下面から外れるのが阻止されるから、係合部２６と保持部材１５との係合状態が確実に維持される。
【００３２】
このように、抜け止め具２３の係合部２６を保持部材１５の下面に係合させたことで、側柵１８の脚部１７が保持部材１５の差込孔１６から抜出するのが阻止されるから、側柵１８に不用意な外力が加わっても、この側柵１８がベッドフレーム５から外れるようなことがない。
【００３３】
側柵１８をベッドフレーム５から取り外す場合には、取付け時とは逆に、一対の側辺部２５を内方へ弾性変形させ、係合部２６を保持部材１５の下面から外したならば、抜け止め具２３を下端部をベッドフレーム５から離れる方向に回動させて、その係合部２６を保持部材１５の下面から外し、その状態で一対の側辺部２５の弾性変形を解除すればよい。
【００３４】
つまり、抜け止め部材２３の一対の側辺部２５を弾性変形させるだけで、側柵１８のベッドフレーム５に対して抜出不能に取付けたり、取外しことができるため、側柵１８の着脱操作を容易かつ迅速に行なうことができる。
【００３５】
上記抜け止め具２３の側辺部１５の下端の係合部２６を環状に形成したことで、上記係合部２６を保持部材１５の下面に係合させるために、一対の側辺部２５を内方へ弾性変形させる際、上記環状の係合部２６に指を入れることができる。
そのため、一対の側辺部２５を容易に弾性変形させることができる。しかも、側辺部２５の下端が環状になっていることで、衣服や手指など引っ掛かり難くなり、安全性を向上させることができる。
【００３６】
連結部材３１は抜け止め具２３の中間部２４の全長にわる長さ寸法を有するため、上記中間部２４が連結部材３１によって補強される。そのため、一対の側辺部２５を内方へ弾性変形させたときに、その応力で上記中間部２４が湾曲するのが阻止されるから、抜け止め具２３の係合部２６を保持部材１５の下面に係合させる作業を確実かつ容易に行なえる。
【００３７】
抜け止め具２３は連結部材３１を介して側柵１８に取付けられている。そのため、側柵１８をベッドフレーム５から取り外したときも、抜け止め具２３は側柵１８と一体的であるから、抜け止め具２３を紛失するようなことがなくなるばかりか、抜け止め具２３の管理が容易となる。
【００３８】
上記一実施の形態では、抜け止め具２３の係合部２６を保持部材１５の下面から突出した脚部１７の差込部１７ａに係合させることで、係合状態を維持するようにしたが、保持部材１５の下面から差込部１７ａが突出しないような場合には、保持部材１５の下面に突起を設け、係合部２６の係合状態を維持するようにしてもよい。
【００３９】
また、係合部２６を保持部材１５の下面に係合させた状態で、抜け止め具２３が回動して係合部２６が保持部材１５の下面から外れることがない場合には、保持部材１５の下面から脚部が突出していなくても、その係合状態を確実に維持することができる。
【００４０】
【発明の効果】
以上のようにこの発明によれば、側柵の脚部を保持部材の差込孔に挿入して側柵をベッドフレームに設けたときに、この側柵の係止部材に連結部材を介して連結された抜け止め具の係合部を保持部材の下面に弾性的に係合させることで、側柵を抜け止め部材によって保持部材に保持し、側柵の脚部が差込孔から抜け出るのを防止できるようにした。
【００４１】
そのため、簡単な構成で確実に側柵をベッドフレームから外れることなく保持することができる。しかも、抜け止め具は、保持部材に弾性的に係合させるため、側柵をベッドフレームに保持したり、その保持状態を解除する作業を容易に行なうことができる。
【図面の簡単な説明】
【図１】この発明の一実施の形態を示すベッド装置の側面図。
【図２】ベッドフレームに取付けられた側柵部分を拡大した側面図。
【図３】脚部の保持部材に取付けられた部分の拡大断面図。
【図４】（ａ）抜け止め具を示す正面図、（ｂ）は側面図。
【符号の説明】
５…ベッドフレーム
１５…保持部材
１６…差込孔
１７…脚部
１８…側柵
２３…抜け止め具
２４…中間部
２５…側辺部
２６…係合部
３１…連結部材
３２…第１の取付け部
３３…第２の取付け部
【図１】
0004559674.tif 000002
【図２】
0004559674.tif 000003
【図３】
0004559674.tif 000004
【図４】
0004559674.tif 000005